(57)【特許請求の範囲】
【請求項１】
通路に沿って壁面に付設されるブラケット取付板と、該ブラケット取付板の長手方向に沿って所定間隔おきに通路側に突出して設けられた複数個のブラケットと、前記ブラケットに設けられ前記通路を照明する照明手段と、隣接する前記ブラケットに跨って取り付けられた手摺棒とを備え、
前記照明手段に接続された給電線が、前記ブラケットに通路側に開口して設けられた第１配線用凹部内から、前記ブラケット取付板にその長手方向に沿いかつ通路側に開口して設けられ前記第１配線用凹部に連通した第２配線用凹部内にわたって収容され、
前記第１配線用凹部の開口部に、該開口部を覆う第１カバーが着脱自在に装着されると共に、
前記第２配線用凹部の開口部に、該開口部を覆う第２カバーが着脱自在に装着され、
前記ブラケットは、通路側に向かって上方に傾斜する傾斜部位を有し、該傾斜部位に前記照明手段が通路に指し向けて設けられていることを特徴とする照明付き手摺装置。
【請求項２】
前記照明手段は、前記第１カバーに着脱自在に装着されてなる請求項１に記載の照明付き手摺装置。
【請求項３】
前記照明手段に接続された給電線は、複数本の短尺電線がコネクタにより結線されたものである請求項１または請求項２に記載の照明付き手摺装置。
【請求項４】
前記手摺棒は、前記第１配線用凹部内の上部取付孔を通じてねじ等の第１固着具で前記ブラケットに取り付けられる一方、
前記ブラケットは、前記第１配線用凹部内の下部取付孔を通じてねじ等の第２固着具で前記ブラケット取付板に取り付けられてなる請求項１ないし請求項３のいずれか１に記載の照明付き手摺装置。
【請求項５】
前記照明手段は、発光ダイオードから構成されてなる請求項１ないし請求項４のいずれか１に記載の照明付き手摺装置。
【請求項６】
前記複数のブラケットに設けられた照明手段は、各々電源と並列に接続されてなる請求項１ないし請求項５のいずれか１に記載の照明付き手摺装置。
【発明の詳細な説明】
【０００１】
【発明の属する技術分野】
この発明は、戸建住宅や集合住宅等における階段や廊下、玄関等の通路に取り付けられる照明付き手摺装置に関する。
【０００２】
【従来の技術及び発明が解決しようとする課題】
戸建住宅や集合住宅の階段や廊下等の側壁面に、歩行ガイド用或いは歩行補助用として丸棒状の手摺棒を有する手摺装置が取り付けられる場合がある。
【０００３】
ところで、このような手摺装置において、夜間等の暗がりにおいても明確に通路を認識することができるように照明手段を備えたものが汎用されている。この照明付き手摺装置においては、良好な外観体裁を確保する観点から、通常、照明手段に接続された給電線が隠蔽されるように構成されている。例えば、特開平８−１２０８７５号公報に記載の照明付き手摺装置は、手摺棒を支持するためのブラケットに照明手段が設けられたものであり、該照明手段に接続された給電線が、ブラケット内部に設けられた第１配線空間内と、手摺棒内にその長手方向に沿っ設けられ前記第１配線空間に連通した第２配線空間内とに収容されて隠蔽されるように構成されてなるものである。この第２配線空間は、手摺棒にその長手方向に沿って下方に開口する凹溝と、該凹溝を覆う態様で手摺棒に着脱自在に取り付けられたキャップ体とから構成されるものとなされている。
【０００４】
しかしながら、この特開平８−１２０８７５号公報に記載の照明付き手摺装置は、その給電線等のメンテナンスに伴う作業において不便であるという難点があった。即ち、この照明付き手摺装置は手摺棒の下方に開口する凹溝内に給電線が収容されているため、該給電線の交換等のメンテナンス時に、その作業を床面等の下面や側壁面に密着した窮屈な姿勢で行わなければならず、作業がし辛いという問題があった。もとより、手摺棒をブラケット等から取り外して作業をすることにより、作業がし易くなるものの、手摺棒をブラケットから取り外す等の新たな作業を要することとなり、その作業に手間暇を要し、面倒であった。しかも、第１配線空間に対応する給電線において断線等の問題が発生した場合には、ブラケットを解体して修理等しなければならず、その作業が面倒なものであった。
【０００５】
一方、上述の照明付き手摺装置の他に、特開平１１−４５６１５号公報に記載されているような照明付き手摺装置が知られている。この照明付き手摺装置は、ブラケットの上部に設けられた手摺本体装着部に照明手段が設けられたものであり、該照明手段に接続された給電線が、ブラケット内部に設けられた第１配線空間内から、ブラケットが取り付けられるブラケット取付板にその長手方向に沿いかつ通路側に開口して設けられ前記第１配線用凹部に連通した第２配線用凹部内にわたって収容されると共に該凹部の開口部に該開口部を覆う溝カバーが固定ねじにより固着されて隠蔽されているものである。この照明付き手摺装置によれば、溝カバーを取り外すことにより通路側から給電線の交換等の作業をすることができ、作業がし易いという利点がある。
【０００６】
しかしながら、この照明付き手摺装置においても、メンテナンスに伴う作業における不便さが充分に解消されていないものであった。即ち、前記の溝カバーがねじで固定されているため、これを取り外すのに手間がかかり、面倒であると共に、上記の特開平８−１２０８７５号公報に記載の照明付き手摺装置と同様に、第１配線空間に対応する給電線の断線等の問題が発生した場合には、ブラケットを取付板及び手摺棒から取り外して給電線を取り替えなければならず、その作業が面倒なものであった。
【０００７】
この発明は、上述の問題点に鑑みてなされたものであり、メンテナンスに伴う作業を簡便に行うことができる照明付き手摺装置を提供することを目的とする。
【０００８】
【課題解決のための手段】
上記目的を達成するために、この発明にかかる照明付き手摺装置は、通路に沿って壁面に付設されるブラケット取付板と、該ブラケット取付板の長手方向に沿って所定間隔おきに通路側に突出して設けられた複数個のブラケットと、前記ブラケットに設けられ前記通路を照明する照明手段と、隣接する前記ブラケットに跨って取り付けられた手摺棒とを備え、前記照明手段に接続された給電線が、前記ブラケットに通路側に開口して設けられた第１配線用凹部内から、前記ブラケット取付板にその長手方向に沿いかつ通路側に開口して設けられ前記第１配線用凹部に連通した第２配線用凹部内にわたって収容され、前記第１配線用凹部の開口部に、該開口部を覆う第１カバーが着脱自在に装着されると共に、前記第２配線用凹部の開口部に、該開口部を覆う第２カバーが着脱自在に装着されていることを特徴とする。
【０００９】
この発明によれば、前記照明手段に接続された給電線が、前記ブラケットに設けられた第１配線用凹部内と、前記ブラケット取付板に設けられた第２配線用凹部内とに跨って収容されると共に、前記第１配線用凹部及び第２配線用凹部の開口部には、それぞれ第１及び第２カバーが装着されているので、給電線を隠蔽することができ、良好な外観体裁を確保することができる。しかも、第１カバー及び第２カバーは、それぞれ第１及び第２配線用凹部の開口部に着脱自在に装着されているので、これを取り外すことにより、簡単に給電線を露呈させることができ、問題がある給電線部分の修理等、そのメンテナンスに伴う作業が簡便になる。また、第１配線用凹部及び第２配線用凹部は、それぞれ通路側に開口しているので、通路側からこれらの作業をすることができる。このため、窮屈な姿勢を強いられることなく、メンテナンスに伴う作業がし易くなる。
【００１０】
この発明において、前記ブラケットは、通路側に向かって上方に傾斜する傾斜部位を有し、該傾斜部位に前記照明手段が設けられてなるのが好ましい。このように構成すれば、照明範囲を有効に活用して通路を明るく照らすことができる。
【００１１】
またこの発明において、前記照明手段は、前記第１カバーに着脱自在に装着されてなるのが好ましい。このように構成すれば、第１カバーの取り外しに伴い照明手段に接続された給電線が第１配線用凹部内から引き出され、メンテナンスに伴う作業が一層簡便になる。
【００１２】
更にこの発明において、前記照明手段に接続された給電線は、複数本の短尺電線がコネクタにより結線されたものであるのが好ましい。このように構成すれば、問題のある給電線部分を簡単に交換することができ、給電線のメンテナンス作業がより一層簡便になる。
【００１３】
更にまたこの発明において、前記手摺棒は、前記第１配線用凹部内の上部取付孔を通じてねじ等の第１固着具で前記ブラケットに取り付けられる一方、前記ブラケットは、前記第１配線用凹部内の下部取付孔を通じてねじ等の第２固着具で前記ブラケット取付板に取り付けられてなるのが好ましい。このように構成すれば、第１及び第２固着具が共に第１配線用凹部内に収容され、この状態で該第１配線用凹部の開口部に第１カバーが装着されるので、給電線を隠蔽するための第１カバーを有効に利用して各固着具を隠蔽することができ、見栄えを向上させることができる。
【００１４】
またこの発明において、前記照明手段は、発光ダイオードから構成されてなるのが好ましい。このように構成すれば、発光ダイオードは消費電力が少ないので経済的である共に、発光ダイオードはほとんど発熱しないので熱変形などの高温障害を防止することができる。
【００１５】
更にこの発明において、前記複数のブラケットに設けられた照明手段は、各々電源と並列に接続されてなるのが好ましい。このように構成すれば、１箇所の断線により全ての照明手段が消灯するという事態を回避することができる。しかも、給電線における断線等の異常部分の予測が付け易く、メンテナンス作業が一層簡便になる。
【００１６】
【発明の実施の形態】
以下、この発明に係る照明付き手摺装置を図面に示した一実施形態に基づいて説明する。
【００１７】
この照明付き手摺装置（１）は、図１ないし図３に示すように、階段や廊下等の通路における側壁（２）に沿って、施工されるものであって、通路に沿って側壁（２）面に付設されるブラケット取付板（３）と、該ブラケット取付板（３）の長手方向に沿って所定間隔おきに取り付けられた複数個のブラケット（４）…と、前記各ブラケット（４）に設けられ前記通路を照明する照明手段（５）と、隣接する前記ブラケット（４）（４）間に跨って取り付けられた手摺棒（６）とを主要構成部材として備える。なお、図１においては、発明の理解を容易にするため、手摺棒（６）の支持スパン（ブラケット４の取付間隔）が、実際のものよりも短く表されている。
【００１８】
ブラケット取付板（３）は、上述のように、廊下、階段等の通路の側壁（２）に沿ってその壁面に付設される帯状の板状体であり、取付板本体（3a）と第２カバー（3b）とを備える。
【００１９】
取付板本体（3a）は、ブラケット取付板（３）の主要部をなす長尺矩形の板状体であり、その通路側の面における幅方向（図１ないし図３における高さ方向）中央部に、長手方向に沿って連続して直線状に延びる第２配線用凹部（30）が設けられている。この第２配線用凹部（30）は、断面視略コ字状に形成されると共に、その幅が後述するブラケット本体（4a）の固着面（41b）よりも小さく形成され、該凹部内（30）に後述する給電線（７）及びコネクタ（８）を収容し得るものとなされている。また、取付板本体（3a）は、その通路側の面における第２配線用凹部（30）を挟む上下両縁部に、平行する二本の装飾溝部（31）（31）が長手方向に連続して延びるように形成されている。
【００２０】
取付板本体（3a）は、その材質が特に限定されるものではないが、合板や中質繊維板、木粉が混入された合成樹脂成形品などの木質板は見栄えが良く、温かみも感じられるので好適に使用される。取付板本体（3a）における露呈表面には、紙、合成樹脂シート等の模様印刷シートが貼着されたり、或いは着色処理、塗装処理等が施されたりして任意の化粧がなされていても良い。
【００２１】
上記の取付板本体（3a）における第２配線用凹部（30）の開口部（30a）には、これを覆うように第２カバー（3b）が着脱自在に装着されている。
【００２２】
即ち、この第２カバー（3b）は、図１、図２及び図４に示すように、細長板状の硬質合成樹脂成形品である。第２カバー（3b）は、その幅が第２配線用凹部（30）の開口部（30a）よりも若干大きく形成されている一方、その長さが隣接するブラケット（４）（４）の取付間隔に対応して形成されている。また、第２カバー（3b）の裏面（通路と反対側の面）における上下方向両縁部には、２本の鈎状係止リブ（32）（32）が通路と反対側に突出しかつ長手方向に沿って連続して設けられている。この２本の鈎状係止リブ（32）（32）は、図４に示すように、通路と反対側の方向に水平に延びる水平片（32a）（32a）と、該水平片（32a）（32a）の先端に僅かに外方に張り出して形成された係止膨出部（32b）（32b）とから構成されている。水平片（32a）（32a）の外側面はそれぞれ取付板本体（3a）の第２配線用凹部（30）内側面に当接されるように形成される一方、係止膨出部（32b）は先端に向かうにつれ内側に傾斜する案内面として形成され、第２カバー（3b）が第２配線用凹部（30）に強制的に嵌合装着し得るものとなされている。
【００２３】
この第２カバー（3b）は、その材質が特に限定されるものではなく、例えばＡＢＳ樹脂、ポリプロピレン樹脂、ポリスチレン樹脂等の合成樹脂や合成ゴム等からなるものを使用することができる。
【００２４】
また、この第２カバー（3b）の表面（通路側の面）も、取付板本体（3a）と同様に、紙、合成樹脂シート等の模様印刷シートが貼着されたり、或いは着色処理、塗装処理等が施されたりして任意の化粧をなしても良い。
【００２５】
ブラケット（４）は、手摺棒（６）をブラケット取付板（３）に支持するためのものであり、ステンレス、アルミニウム合金等の金属製のブラケット本体（4a）とポリカーボネート等の合成樹脂製の第１カバー（4b）とを備える。
【００２６】
ブラケット本体（4a）は、図１ないし図３に示すように、斜め上方に延び、かつ先端に向かうにつれ僅かに縮径する第１傾斜部（40a）と、該第１傾斜部（40a）の先端部に、この先端部から傾斜角度を増して斜め上方に更に延び、かつ先端に向かうにつれ僅かに拡径する第２傾斜部（40b）とが一体に設けられた異形鼓型の形状をなす。また、ブラケット本体（4a）は、その先端部が上方に開口する円弧状に形成され、手摺棒（６）を載置し得る棒受け面（41a）として形成されている一方、その基端部がブラケット取付板（３）に取り付け得るように平坦な固着面（41b）として形成されている。
【００２７】
このブラケット本体（4a）は、外周面においてその先端部から基端部にかけて通路側に細長く開口する第１配線用凹部（42）が設けられ、後述する給電線（７）及び照明手段（５）が収容されるものとなされている。この第１配線用凹部（42）の幅や深さは、特に限定されるものではなく、収容される給電線（７）や照明手段（５）の容量等を勘案して適宜決定される。また、第１配線用凹部（42）の上下両壁部には、図５及び図６に示すように、それぞれ手摺棒（６）又はブラケット取付板（３）を取り付けるための第１及び第２固着具（9a）（9b）…が挿通される固着具取付孔（46）（46）…がこれらの両壁部を貫通してそれぞれ二つずつ設けられている。更に、第１配線用凹部（42）内の上壁面における開口端部にはその凹部（42）の幅方向に細長く開口する係止孔（47）が棒受け面（43）にまで貫通して形成されている一方、第１配線用凹部（42）内の下壁面における開口端部にはその凹部（42）の幅方向に二つ並んで細く開口する係止小孔（48）（48）が固着面（44）にまで貫通して形成され、これらの係止孔（47）及び係止小孔（48）（48）により後述するように第１カバー（4b）が着脱自在に装着されるものとなされている。なお、本実施形態では、係止孔（47）又は係止小孔（48）（48）は第１配線用凹部（42）内から棒受け面（43）又は固着面（44）にまで貫通して設けられているが、これに限定されるものではなく、係止凹部として形成されるものであっても良いことはいうまでもない。
【００２８】
また、ブラケット本体（4a）の第１配線用凹部（42）内の下壁面には、上記の二つの固着具取付孔（46）（46）間に連通孔（49）がブラケット本体（4a）の固着面（41b）にまで貫通して設けられ、照明手段（５）に接続された給電線（７）が第１配線用凹部（42）内から第２配線用凹部内（30）へと導通し得るものとなされている。
【００２９】
また、図中（43a）は、第１配線用凹部（42）内における第１傾斜部（40a）と第２傾斜部（40b）との境界線に対応する位置に設けられた補強用リブであり、凹部（42）の開口（42a）側の端面に第１カバー（4b）が載置されるものとなされている。更に、図中（43b）…は、第１配線用凹部（42）の内側面に左右対称に設けられた補強用補助リブであり、上記の補強用リブ（43a）と同様、開口側の端面に第１カバー（4b）が載置されるものとなされている。
【００３０】
第１カバー（4b）は、ブラケット本体（4a）の第１配線用凹部（42）の開口部（42a）に対応して形成された略くの字状の板状体であり、第１配線用凹部（42）の開口部（42a）に、これを被覆して着脱自在に装着されている。即ち、この第１カバー（4b）は、ブラケット本体（4a）の第１傾斜部（40a）に対応する板状体とブラケット本体（4a）の第２傾斜部（40b）に対応する板状体とが屈曲状態に一体成形されたものであり、その先端部に上方に突出する係止突片（44）が設けられている一方、その基端部に幅方向に並ぶ二つの係止小突片（45）（45）が設けられている。この係止突片（44）はブラケット本体（4a）の係止孔（47）に係止される一方、係止小突片（45）（45）はブラケット本体（4a）の係止小孔（48）（48）に係止され、第１カバー（4b）をブラケット本体（4a）の第１配線用凹部（42）開口部（42a）に着脱自在に装着し得るものとなされている。
【００３１】
また、第１カバー（4b）の屈曲部における裏面側には、その幅方向中央部に、その屈曲部を跨って変形抑制リブ（43c）が突出して設けられ、第１カバー（4b）の変形を防止するものとなされている。なお、図中（4c）は、第１カバー（4b）を取り外す際に指や工具等を引っ掛けるための切欠きである。
【００３２】
図３に明示するように、この第１カバー（4b）における下部板状体の長手方向略中央に照明手段装着孔（4d）が該第１カバー（4b）を貫通して設けられ、該照明手段装着孔（4d）には照明手段（５）である発光ダイオードがハット型の透明カバー（50）を介して着脱自在に装着されている。この照明手段（５）は、ブラケット（４）の傾斜部位に設けられているので、斜め下方に指し向けられ、通路を照明するものとなされている。一方、透明カバー（50）は光の拡散角度を調整することができるものとなされており、この手摺装置（１）が施工される環境に応じて微妙な調整をすることができる。
【００３３】
また、照明手段（５）は、その基端部に、他端に雄型コネクタ（8a）が設けられた第１給電線（7a）と、他端に雌型コネクタ（8b）が設けられた第２給電線（7b）とが接続されている。そして、これらの給電線（７）は、ブラケット本体（4a）の固着面（41b）に設けられた連通孔（49）を介してブラケット取付板（３）の第２配線用凹部（30）内に導通される。
【００３４】
隣接するブラケット（４）（４）に設けられた照明手段（５）（５）は、電源に対して並列に接続されている。即ち、図７に示すように、第１給電線（7a）の雄型コネクタ（8a）は、隣接するブラケット（４）のうち一方側ブラケット（４）の第２給電線（7b）の雌型コネクタ（8b）に結合される一方、第２給電線（7b）の雌型コネクタ（8b）は、他方側ブラケット（４）の第１給電線（7a）の雄型コネクタ（8a）に結合される。照明手段（５）に接続された給電線（７）の結線は、一端に雄型コネクタ（8a）が設けられ、他端に雌型コネクタ（8b）が設けられた１本又は複数本の短尺電線を介して行うものであっても良い。このように構成すれば、問題のある電線部分を簡単に取り替えることができ、給電線（７）のメンテナンスに伴う作業が簡便になるという利点がある。
【００３５】
手摺棒（６）は、通路の側壁（２）に沿って長手方向に連続して延びる長尺の円形棒状体である。なお、手摺棒（６）は、本実施形態のように中実構造である必要はなく、パイプのように中空構造のものであっても良い。
【００３６】
この手摺棒（６）は、その材質が特に限定されるものではなく、例えばムク材、集成材、単板積層材（ＬＶＬ）、木粉が混入された合成樹脂成形品等の木質材からなるもの、ＡＢＳ樹脂、オレフィン系樹脂等の合成樹脂からなるもの、ステンレス、アルミニウム等の金属からなるもの等を使用することができる。中でも、木製の材料は触れたときの感触が良く、温かみが感じられるので好適に使用される。また、手摺棒（６）は、長手方向に連続して同質の材料より構成されるのが好ましい。このように構成することにより、違和感を感じることなく手摺棒（６）を伝って歩行することができる。更に、手摺棒（６）は、上記の材質からなる棒状体の表面に合成樹脂皮膜等を巻いたものであっても良い。
【００３７】
また、手摺棒（６）は、その寸法も特に限定されるものではなく、握り易さの観点から適宜決定されるが、直径２５〜５０ｍｍの範囲内のものを使用するのが好ましい。更に、手摺棒（６）の形状も特に限定されるものではなく、握り易さの観点から適宜決定される。
【００３８】
上記構成の照明付き手摺装置（１）は、例えば次のようにして階段等通路の側壁に施工される。
【００３９】
先ず、ブラケット取付板（３）を通路に沿って付設する。即ち、通路の側壁（２）所定高さ位置に、ブラケット取付板（３）を通路に沿わせて配置し、釘やねじ等の固着具によりブラケット取付板（３）を側壁（２）裏側の間柱やスタッド等に固定する。なお、固着具には、釘、スクリューネイル等の釘類や木ねじ、タッピングねじ等のねじ類が採用される。この固定に際しては、接着剤や両面粘着テープを併用することもできる。このようにブラケット取付板（３）が通路の側壁（２）裏側の間柱やスタッド等に固定されるので、ブラケット取付板（３）は強固に側壁（２）に固定される。
【００４０】
次に、照明手段（５）に接続された給電線（７）をブラケット本体（4a）の第１配線用凹部（42）に収容し、その給電線（７）を該凹部（42）内の下端面に設けられた連通孔（49）を通じてブラケット本体（4a）の固着面（41b）側から引き出す。
【００４１】
続いて、ブラケット取付板（３）の第２配線用凹部（30）内に電源に接続された給電線を導入すると共に、ブラケット取付板（３）の長手方向に沿って所定間隔おきにブラケット本体（4a）（4a）…を、照明手段（５）（５）…に接続された給電線（７）（７）…を接続しつつ、取り付ける。即ち、例えば一端が電源に接続された給電線の他端に雄型コネクタ（8a）が設けられている場合には、第２給電線（7b）の雌型コネクタ（8b）をこれに結合する一方、第１給電線（7a）をブラケット取付板（３）の第２配線用凹部（30）内に配置して、この状態でブラケット本体（4a）を取付板（３）に取り付ける。この取り付けは、ブラケット本体（4a）の固着面（41b）が取付板（３）の第２配線用凹部（30）を跨いだ状態で、その凹部（30）の上位及び下位に、ブラケット本体（4a）の第１配線用凹部（42）内から取付孔（46）（46）を通じてねじ等の第１固着具（9a）（9a）を差し込むことにより行う。そして、ブラケット本体（３）をブラケット取り付け板（３）に取り付けた後、この取り付けられたブラケット本体（4a）と所定間隔をおいて他のブラケット本体（4a）を上記と同様にしてブラケット取付板（３）に取り付ける。給電線（７）の接続は、最初に取り付けられたブラケット本体（4a）から引き出された第１給電線（7a）の雄型コネクタ（8a）に、後に取り付けられたブラケット本体（4a）から引き出された第２給電線（7b）の雌型コネクタ（8b）を結合して行う。この作業を順次繰り返して、所定の個数のブラケット本体（4a）…を取付板（３）に取り付ける。
【００４２】
次に、これらの複数のブラケット本体（4a）…に跨って手摺棒（６）を取り付ける。即ち、手摺棒（６）を各ブラケット本体（4a）の棒受け面（41a）に載置した後、ブラケット本体（4a）の第１配線用凹部（42）内から取付孔（46）（46）を通じてねじ等の第２固着具（9b）を手摺棒（６）に差し込むことにより、手摺棒（６）を各ブラケット本体（4a）…に取り付ける。なお、上記第１固着具（9a）（9a）及び第２固着具（9b）（9b）には、釘、スクリューネイル等の釘類や木ねじ、タッピングねじ等のねじ類が採用されるが、取付作業上の観点からねじ類が好ましい。
【００４３】
続いて、各ブラケット本体（4a）の第１配線用凹部（42）の開口部（42a）にこれを覆って第１カバー（4b）を取り付けることにより、ブラケット（４）を組み立てる。即ち、ブラケット本体（4a）の第１配線用凹部（42）上端面における係止孔（47）に第１カバー（4b）の係止突片（44）を差し込み、この状態で第１カバー（4b）を前記凹部（42）側に強制的に押し込む。すると、第１カバー（4b）が僅かに弾性変形して、その係止小突片（45）（45）が前記凹部（42）の開口端部を乗り越えて係止小孔（48）（48）に係止される。
【００４４】
最後に、第２カバー（3b）を、ブラケット取付板（３）の第２配線用凹部（30）の開口部（30a）に、該凹部（30）の露呈部分（ブラケットが取り付けられていない部分）を被覆する態様で、取り付ける。即ち、第２カバー（3b）をその鈎状係止リブ（32）（32）をブラケット取付板（３）の第２配線用凹部（30）に対向させ、該凹部（30）に強制的に押し込む。すると、鈎状係止リブ（32）（32）が、係止膨出部（32b）（32b）の案内面に従って内側に弾性変形し、そのまま奥まで強制的に押し込むと、該リブ（32）（32）の復元力により第２カバー（3b）が第２配線用凹部（30）に強固に取り付けられる。
【００４５】
而して、この照明付き手摺装置（１）は、ブラケット（４）（４）…の照明手段（５）（５）…に接続された給電線（７）（７）…がブラケット（４）（４）…の第１配線用凹部（42）…内から、ブラケット取付板（３）の第２配線用凹部（30）内にわたって収容され、これらの第１配線用凹部（42）…及び第２配線用凹部（30）は、第１及び第２カバー（4b）（3b）…により覆われているので、給電線（７）（７）…が露出せず、良好な外観体裁を確保することができる。しかも、第１配線用凹部（42）内に第１及び第２固着具（9a）（9b）が収容されているので、第１カバー（4b）を利用することによりこれらの固着具（9a）（9b）も隠蔽することができ、見栄えの向上を図ることができる。
【００４６】
また、ブラケット（４）…は、ブラケット取付板（３）を介して側壁（２）に取り付けられるものとなされているので、ブラケット（４）を任意の位置に強固に取り付けることができる。即ち、ブラケット（４）を通路の側壁（２）に強固に取り付けるにあたって、間柱等の取付強度の大きい位置に限定されず、しかも補強材等を必要とせず、任意の位置に取り付けることができる。従って、この照明付き手摺装置（１）は、リフォームに好適に用いることができる。
【００４７】
更に、照明手段（５）がブラケット（４）の上方に傾斜する傾斜部位に対応する第１カバー（4b）に設けられているので、照明範囲を有効に活用して通路を照明することができる。しかも、照明手段（５）は通路に指し向けられて設けられることとなるので、光が直接目に入らず、不快感を感じさせない。また、照明手段（５）として発光ダイオードを採用しているので、経済的であり、透明カバー（50）等の熱変形などの高温障害を防止することができる。更に、発光ダイオードは他の照明手段に比べて柔らかい照明を演出することができる。
【００４８】
更にまた、複数のブラケット（４）…に設けられた照明手段（５）…は、各々電源と並列に接続されてなるので、１箇所の断線により全ての照明手段（５）…が消灯するという事態を回避することができる。しかも、給電線（７）…における断線等の異常部分の予測が付け易く、メンテナンス作業が一層簡便になる。
【００４９】
これらの照明手段（５）は、ブラケット（４）の第１傾斜部（40a）に設けられているので、手摺棒（６）を伝って歩行する場合でも手などで握られて遮光されることもなく、確実に通路を照明することができる。
【００５０】
一方、この照明付き手摺装置（１）において、給電線（７）や照明手段（５）等のメンテナンスを行う場合には、第１カバー（4b）及び第２カバー（3b）を取り外して給電線（７）及び照明手段（５）を露呈させて行う。即ち、第１カバー（4b）の切欠き（4c）に指や工具などを差し入れて、この状態で強制的に引き剥がすと、第１カバー（4b）の係止小突片（45）（45）が係止小孔（48）（48）から抜け出し、第１配線用凹部（42）の開口端部を乗り越えて係止状態が解除され、第１カバー（4b）を取り外すことができる。一方、第２カバー（3b）は、その長手方向一端部を指などで引っ掛けて通路側に引っ張ることにより簡単に取り外すことができる。そして、問題のある給電線（７）の部分や照明手段（５）を交換等することによりメンテナンスを行う。
【００５１】
このように、本実施形態の照明付き手摺装置（１）は、第１カバー（4b）及び第２カバー（3b）が第１配線用凹部（30）及び第２配線用凹部（42）に着脱自在に装着されているので、これを取り外すことにより、簡単に給電線（７）及び照明手段（５）を露呈させることができ、問題がある給電線（７）の部分、照明手段（５）を簡単に交換などすることができる等、給電線（７）及び照明手段（５）のメンテナンスが簡便になる。また、第１配線用凹部（42）及び第２配線用凹部（30）は、それぞれ通路側に開口しているので、通路側からこれらの作業をすることができる。このため、窮屈な姿勢を強いられることなく、メンテナンスに伴う作業がし易くなる。
【００５２】
また、照明手段（５）が、第１カバー（4b）に着脱自在に装着されているので、第１カバー（4b）の取り外しに伴い照明手段（５）に接続された給電線（７）が第１配線用凹部（42）内から引き出される。このため、メンテナンス作業における利便性が向上する。一方、照明手段（５）を第１カバー（4b）から簡単に取り外して交換することができ、メンテナンス作業がし易いという利点がある。
【００５３】
以上に、この発明の一実施形態にかかる照明付き手摺装置（１）について説明したが、この発明は上記実施形態に限定されるものではなく、その趣旨を逸脱しない範囲で、種々の変更が可能である。例えば以下のような変更が可能である。
【００５４】
上記実施形態では、第１カバー（4b）は細長い板状体として形成されたものを用いたが、これに限定されるものではなく、例えば第１カバーが立体的に形成されたものを用いても良い。
【００５５】
ブラケット（４）の形状は、上記実施形態では側面視く字状に形成したものを用いたが、例えば円弧状や、Ｌ字状、斜めに立ち上がった棒状等に形成したものを用いても良い。
【００５６】
また、第１カバー（4b）及び第２カバー（3b）の第１配線用凹部（42）及び第２配線用凹部（30）に対する装着構造は、上記実施形態のものに限定されず、各カバーが着脱自在に各凹部に装着されるものであればその他の構造を採用することもできる。
【００５７】
上記実施形態では照明手段（５）として発光ダイオードが採用されているが、これに限定されるものではなく、その他電球等を採用するものであっても良い。
【００５８】
上記実施形態では、照明手段（５）が第１傾斜部（40a）に対応する位置に設けられているが、第２傾斜部（40b）に設けられているものであっても良く、第１傾斜部（40a）に設けられている場合と同様の作用効果を奏する。また、照明手段（５）は、通路を照明するものであればよいので、ブラケットによっては傾斜部位以外の部位に設けられているものであっても良い。
【００５９】
更に、照明手段（５）は、上記実施形態のように第１カバー（4b）に装着されているものに限定されず、例えば照明手段が第１配線用凹部内に装着されると共に、第１カバーが透明樹脂（半透明樹脂又は着色透明樹脂を含む）から形成され、第１カバーを介して通路を照明するものであっても良い。
【００６０】
その他、部材構成、各部材の形状、大きさ等、細部構成についての種々の設計変更も可能であることは言うまでもない。
【００６１】
【発明の効果】
以上のように、この発明の照明付き手摺装置によれば、給電線を隠蔽することができて良好な外観体裁を確保することができる一方、第１カバー及び第２カバーを取り外すことにより簡単に給電線を露呈させることができ、問題がある給電線の部分を簡単に交換等することができる等、給電線のメンテナンスが簡便になる。また、第１配線用凹部及び第２配線用凹部は、それぞれ通路側に開口しているので、通路側からこれらの作業をすることができる。このため、窮屈な姿勢を強いられることなく、メンテナンスに伴う作業がし易くなる。
【００６２】
この発明において、前記ブラケットは、通路側に向かって上方に傾斜する傾斜部位を有し、該傾斜部位に前記照明手段が設けられてなる場合には、照明範囲を有効に活用して通路を照らすことができるという利点がある。
【００６３】
またこの発明において、前記照明手段が、前記第１カバーに着脱自在に装着されてなる場合には、第１カバーの取り外しに伴い照明手段に接続された給電線が第１配線用凹部内から引き出され、メンテナンスに伴う作業が一層簡便になるという利点がある。
【００６４】
更にこの発明において、前記照明手段に接続された給電線が、複数本の短尺電線がコネクタにより結線されたものである場合には、問題のある電線部分を簡単に取り替えることができ、給電線のメンテナンス作業がより一層簡便になるという利点がある。
【００６５】
更にまたこの発明において、前記手摺棒は、前記第１配線用凹部内の上部取付孔を通じてねじ等の第１固着具で前記ブラケットに取り付けられる一方、前記ブラケットは、前記第１配線用凹部内の下部取付孔を通じてねじ等の第２固着具で前記ブラケット取付板に取り付けられてなる場合には、給電線を隠蔽するための第１カバーを有効に利用して第１及び第２固着具を隠蔽することができ、見栄えを向上させることができるという利点がある。
【００６６】
またこの発明において、前記照明手段は、発光ダイオードから構成されてなる場合には、経済的である共に、その周辺の部材が合成樹脂等で構成されている場合でも熱変形などの高温障害を防止することができる。
【００６７】
更にこの発明において、前記複数のブラケットに設けられた照明手段が、各々電源と並列に接続されてなる場合には、１箇所の断線により全ての照明手段が消灯するという事態を回避することができるという利点がある。しかも、給電線における断線等の異常部分の予測が付け易く、メンテナンス作業が一層簡便になる。
【図面の簡単な説明】
【図１】この発明の実施形態である照明付き手摺装置を示す斜視図である。
【図２】同手摺装置を分解して示す斜視図である。
【図３】図１におけるＩＩＩ−ＩＩＩ線断面図である。
【図４】図１におけるＩＶ−ＩＶ線断面図である。
【図５】ブラケット本体を示す正面図である。
【図６】ブラケット本体を示す底面図である。
【図７】照明手段の接続状態を示す説明図である。
【符号の説明】
１…照明付き手摺装置
２…側壁
３…ブラケット取付板
３ｂ…第２カバー
４…ブラケット
４ｂ…第１カバー
５…照明手段
６…手摺棒
７…給電線
８…コネクタ
３０…第２配線用凹部
４２…第１配線用凹部
【図１】
0003935341.tif 000002
【図２】
0003935341.tif 000003
【図３】
0003935341.tif 000004
【図４】
0003935341.tif 000005
【図５】
0003935341.tif 000006
【図６】
0003935341.tif 000007
【図７】
0003935341.tif 000008